(57)【要約】【課題】毛髪処理剤の注入量を簡便に調整でき、毛髪処理剤の漏れや不足を生じることなく、効率的に毛髪処理を行うことができる毛髪保持具を提供すること。【解決手段】本発明の毛髪保持具１は、一端の開口部２１から他端の開口部２２に向けて毛髪束Ｈを挿入可能なようにシート２３、２３により構成された筒状体２からなり、一端の開口部２１から筒状体２の内部に挿入された毛髪束Ｈに、筒状体２に注入された毛髪処理剤を、該筒状体２をしごいて塗り広げることができるようになされており、筒状体２における前記他端の開口部２２の近傍に、該筒状体２に注入する毛髪処理剤の量を一定の量に調整可能な目印２５，２６が設けられている。【選択図】図１
2008136632.tif 000002
【特許請求の範囲】
【請求項１】
一端の開口部から他端に向けて毛髪束を挿入可能なようにシートにより構成された筒状体からなり、該一端の開口部から該筒状体の内部に挿入された該毛髪束に、該筒状体に注入された毛髪処理剤を、該筒状体をしごいて塗り広げることができるようになされている毛髪保持具であって、
前記筒状体における前記他端の開口部の近傍に、該筒状体に注入する毛髪処理剤の量を一定の量に調整可能な目印が設けられている毛髪保持具。
【請求項２】
容器に充填した毛髪処理剤を前記筒状体に注入する場合における該容器の適切な挿入深さを示す目印が、前記他端の開口部の近傍に設けられている請求項１記載の毛髪保持具。
【請求項３】
前記適切な挿入深さを示す目印は、前記筒状体の長手方向における、前記他端の開口部からの距離が２０〜８０ｍｍの範囲内に設けられている請求項２記載の毛髪保持具。
【発明の詳細な説明】
【技術分野】
【０００１】
本発明は、所定量の毛髪を、染毛又はパーマ等することのできる毛髪保持具に関する。
【背景技術】
【０００２】
従来、所定量の毛髪を、染毛又はパーマ等することのできる筒状体から構成される毛髪保持具が知られている。この種の毛髪保持具は、可撓性の筒状体から構成されており、該筒状体における一方の端部から、毛髪束が該筒状体内へ挿入されるようになされている。例えば、毛髪束の染毛を行なう際には、筒状体の内部に毛髪処理剤としての染毛剤を注入し、筒状体の内部で染毛剤が毛髪束に塗布される。
【０００３】
筒状体の形成材料として、染毛剤に対して非透過性の材料を用いることにより、毛髪保持具に挿入されている毛髪以外の毛髪が染毛されることが防止されるので、毛髪の部分的な染毛に効果的である。
【０００４】
また、毛髪束が挿入されている一方の端部とは反対側の他方の端部から、染毛剤が筒状体の内部に注入される場合がある。染毛剤は、他方の端部側から一方の端部へ向かって筒状体をしごいて、毛髪束に塗り広げられる。
【０００５】
前述したような筒状体から構成される毛髪保持具として、例えば、本出願人は、先に特許文献１において、一端部に毛髪取り込み口を有する細長形状の可撓性材料からなる筒状体から構成されており、該筒状体に保持された毛髪を所定の形状に巻き上げ、湾曲又は屈曲させる巻き上げ手段が備えられている毛髪保持具を提案している。
【０００６】
【特許文献１】特開平２００３−９３１３３号公報
【発明の開示】
【発明が解決しようとする課題】
【０００７】
上述した従来の毛髪保持具においては、毛髪処理剤を収容した容器から筒状体に毛髪処理剤を注入して用いるのが一般的であるが、筒状体内に注入する毛髪処理剤の量が少な過ぎて、毛髪束の全体に剤が行き渡らずに染めムラや脱色ムラを生じたり、筒状体内に注入する毛髪処理剤の量が多過ぎて、筒状体の注入側とは反対側の開口部から漏れ出したりする場合があった。
また、１回の毛髪処理に必要な量以上の毛髪処理剤を容器に充填しておき、複数本の毛髪保持具を用いて毛髪処理を行うことが、毛髪処理の効率等の観点から好ましいが、このような場合に、個々の毛髪保持具に必要以上の量の剤を供給した場合には、毛髪処理剤が不足し、予定された回数の毛髪処理が行えなくなる。他方、個々の毛髪保持具に適切な量の剤を供給しなかった場合には、毛髪が所望の色に染まらなかったり、色むらが生じる場合がある。また毛髪処理剤が余って不経済であった。
【０００８】
従って、本発明の目的は、毛髪処理剤の注入量を簡便に調整でき、毛髪処理剤の漏れや不足を生じることなく、効率的に毛髪処理を行うことができる毛髪保持具を提供することにある。
【０００９】
本発明は、一端の開口部から他端に向けて毛髪束を挿入可能なようにシートにより構成された筒状体からなり、該一端の開口部から該筒状体の内部に挿入された該毛髪束に、該筒状体に注入された毛髪処理剤を、該筒状体をしごいて塗り広げることができるようになされている毛髪保持具であって  前記筒状体における前記他端の開口部の近傍に、該筒状体に注入する毛髪処理剤の量を一定の量に調整可能な目印が設けられている毛髪保持具を提供することにより、上記目的を達成したものである。
【発明の効果】
【００１０】
本発明の毛髪保持具によれば、毛髪処理剤の注入量を簡便に調整でき、毛髪処理剤の漏れや不足を生じることなく、効率的に毛髪処理を行うことができる。
【発明を実施するための最良の形態】
【００１１】
以下、本発明の毛髪保持具を、その好ましい一実施形態に基づいて、図面を参照しながら説明する。
【００１２】
本発明の一実施形態の毛髪保持具１は、図１〜図３に示すように、一端の開口部２１から他端の開口部２２に向けて毛髪束Ｈを挿入可能なように一対のシート２３、２３により構成された筒状体２からなり、一端の開口部２１から筒状体２の内部に挿入された毛髪束Ｈに、筒状体２に注入された毛髪処理剤としての染毛剤を、他端の開口部２２側から一端の開口部２１へ向かって筒状体２をしごいて塗り広げることができるようになされており、毛髪束Ｈを染毛するために用いられる。
また、本実施形態の毛髪保持具１は、筒状体２における前記他端の開口部２２の近傍に、筒状体２に注入する染毛剤（毛髪処理剤）の量を一定の量に調整可能な目印２５（第１の目印），２６（第２の目印）が設けられている。第２の目印２６は、他端の開口部２２寄りに設けられており、第１の目印２５は、第２の目印から間隔を置いて一端の開口部２１寄りに設けられている。
【００１３】
本実施形態の毛髪保持具１について以下に詳述する。
筒状体２は、図１に示すように、縦長であり、一端の開口部２１から他端の開口部２２に向けて毛髪束Ｈを挿入可能に構成されている。また、筒状体２は、一対の縦長矩形状のシート２３、２３を、それぞれの長手方向の側縁部２４、２４同士を接合して形成されたものである。一対のシート２３、２３は、柔軟であり、筒状体２は可撓性を有している。
【００１４】
筒状体２の長さは、処理すべき毛髪の長さに応じて適切な長さとされ、好ましくは処理すべき毛髪の長さよりも長くなっている。また、筒状体２の開口部２１、２２は長円形状又は円形状であり、その大きさは、挿入する毛髪束の量に応じて適切な大きさとされる。
一般に、筒状体２の長さは５０〜６００ｍｍ、開口部２１，２２の大きさは、長径５〜１００ｍｍ、短径２〜４０ｍｍ程度の範囲である。長径と短径が等しい場合には筒状体２の開口部２１、２２は円形状となる。
【００１５】
毛髪保持具１は、図３（ａ）〜（ｄ）に示すように、一端の開口部２１から筒状体２の内部に挿入された毛髪束Ｈに、筒状体２に注入された染毛剤を、他端の開口部２２側から一端の開口部２１へ向かって筒状体２をしごいて塗り広げて、毛髪束Ｈを筒状体２の内部で染毛処理するために用いられることが好ましい。染毛処理の際には、筒状体２の長手方向において、一端の開口部２１側を上方にし、他端の開口部２２側を下方に位置させることが好ましい。
【００１６】
一対のシート２３、２３は、染毛剤に対して、非透過性の材料から形成されており、染毛剤が筒状体２の側面から外に漏れ出すことはない。その結果、毛髪保持具１に挿入されている毛髪束以外の毛髪が染毛されることが防止される。従って、本実施形態の毛髪保持具１を用いた染毛処理は、頭部における毛髪の部分的な染毛に特に効果的である。
【００１７】
また、染毛剤は、毛髪保持具１内に比較的気密状態で存在することになるので、染毛剤に揮発成分が含まれている場合には、染毛中に該揮発成分が揮発することが防止され、染毛処理を効率的に行えるという利点もある。
【００１８】
前述した一対のシート２３、２３の形成材料としては、ポリエチレン、ポリプロピレンといったポリオレフィン、ポリエチレンテレフタレートといったポリエステル、ナイロン、ポリスチレン、塩化ビニル等の合成樹脂単体で製造されたフィルム、前記合成樹脂をブレンドして製造されたフィルムあるいは前記フィルムを多層にラミネートした合成樹脂フィルム等が好ましく用いられる。
【００１９】
本実施形態の毛髪保持具１は、筒状体２における他端の開口部２２の近傍に、筒状体２に注入する毛髪処理剤の量を一定の量に調整可能な目印として、前記の２本の目印２５，２６が凸条部状に設けられている。本実施形態における２本の目印２５，２６は、何れも、筒状体２を、その全長を４等分するように４つの部分に区分したときの最も開口部２２側の部分に位置しており、また、筒状体２を、その全長を３等分するように３つの部分に区分したときにおいても同様に最も開口部２２側の部分に位置している。
【００２０】
２本の目印２５，２６は、図２に示すように、一対のシート２３，２３それぞれに形成されており、それぞれ、筒状体２の長手方向に直交する方向（シート２３の幅方向）に延びるように形成されている。２本の目印２５，２６は、例えば、エチレン酢酸ビニル共重合樹脂、ポリエチレン、ポリプロピレン等のポリオレフィン系樹脂等の熱可塑性樹脂を溶融状態としてシート２３の片面に線状に塗工した後、該樹脂を硬化させて得られる。
視認性を高める観点から、目印２５、２６は着色されていることが好ましい。
２本の目印２５，２６は、その位置が視覚的に認識できるものであれば充分であるが、それぞれ、シート２３の幅方向と同方向の長さが、該シート２３の幅Ｗ〔図３（ａ）参照〕に対して３０〜１００％が好ましく、より好ましくは７０〜１００％である。
【００２１】
２本の目印２５，２６は、図３（ｂ）に示すように、ボトル等の容器４から毛髪処理剤４１を注入する際に、毛髪処理剤４１を、第１の目印２５と第２の目印２６との間に広がるまで注入することにより、筒状体２に注入する毛髪処理剤の量を一定の量に調整可能である。
この一定の量は、筒状体２内に挿入した毛髪束Ｈに対してムラのない毛髪処理を行うことができ、且つ必要以上の毛髪処理剤をできるだけ注入することにならない量であり、予め設定しておく。この量は、筒状体に挿入される毛髪束の量や、筒状体の長さや幅、毛髪処理剤の粘性等に応じて、決定することが好ましい。
【００２２】
筒状体２の長手方向における２本の目印２５，２６間の間隔Ｌ１〔図３（ａ）参照〕は、筒状体２の内部の最大幅Ｗ１〔シート２３，２３の接合された側縁部２４，２４同士間の幅に同じ，図３（ａ）参照〕との関係もあるが、ムラのない毛髪処理及び毛髪処理剤の過剰使用による漏れ出しを防止する観点から、例えば、前記幅Ｗ１が２０〜３０ｍｍの場合、目印２５，２６間の間隔Ｌ１は、２０〜６０ｍｍが好ましく、２０〜４０ｍｍがより好ましい。また、２本の目印２５，２６間の間隔Ｌ１は、両者間におけるシート２３，２３間に注入可能な毛髪処理剤の量が３〜２０ｍＬ、特に５〜１０ｍＬとなるような距離に設定することが好ましい。
【００２３】
本実施形態における一対のシート２３、２３は無色透明である。筒状体２を構成する一方又は両方のシート２３，２３は、少なくとも２本の目印２５，２６間に位置する部分が透明であることが好ましく、他端の開口部２２から第１の目印２５までの範囲が透明であることがより好ましく、これらの部分を含めて筒状体２の長手方向の全域ないし略全域が透明であることが更に好ましい。透明には有色透明も含まれる。
【００２４】
本実施形態の毛髪保持具１においては、２本の目印２５，２６のうちの、他端の開口部２２寄りの第２の目印２６は、図３（ｂ）に示すように、ボトル（容器）４に充填した毛髪処理剤４１を筒状体２に注入する場合における該ボトル４の適切な挿入深さを示す目印として機能する。
即ち、図３に示すボトル４は、毛髪処理剤４１を収容する収容部４２と、該収容部４２から突出し、その先端に注入孔を有する先細り形状の注入部４３とを備えたものであるが、このボトル４の注入部４３を、筒状体２に挿入する際に、図３（ｂ）に示すように、注入部４３の先端が第２の目印２６の位置に達するまで挿入し、その状態で毛髪処理剤４１を注入する。これにより、筒状体２２の他端の開口部２２から毛髪処理剤４１が漏れ出すことを防止することができる。このような効果が確実に奏されるようにする観点から、第２の目印２６は、筒状体２の長手方向における、前記他端の開口部２２からの距離Ｌ〔図３（ａ）参照〕が２０〜８０ｍｍの範囲内、特に２０〜４０ｍｍの範囲内に設けられていることが好ましい。
【００２５】
本実施形態の毛髪保持具１について、更に説明すると、前記の第１及び第２の目印のみでも一端の開口部２１から染毛剤が漏れ出ないようにすることができるが、漏れ出しを確実にし、使用者の安心感を得る為に毛髪保持具１には、筒状体２をしごく範囲の終点が、触覚的及び視覚的に分かるようになされている。
具体的には、一端の開口部２１の近傍に、図２に示すように、筒状体２の厚み方向に段差が形成された段差部２７が形成されており、該段差部２７が、筒状体２をしごく範囲の終点となっている。即ち、筒状体２を、他端の開口部２２側から一端の開口部２１へ向かって指でしごいていくと、指が段差部２７に当接することで、筒状体２をそれ以上しごくことが防止される。また、段差部２７は、視覚的にも分かる。
【００２６】
本実施形態における段差部２７は、図２に示すように、矩形状のシート片３がシート２３の外面に接合されて形成されている。シート片３の厚みは０．１〜５ｍｍ、特に０．５〜２ｍｍであることが好ましい。
【００２７】
本実施形態の毛髪保持具１を用いて染毛処理をする際には、毛髪挿入具（図示せず）を用いて、毛髪束Ｈを一端の開口部２１から筒状体２の内部へ挿入することが好ましい。毛髪挿入具は、一方の端部に毛髪束Ｈを係止するための係止部を有し、他方の端部に把持部を有しており、毛髪保持具１内に、筒状体２の一端の開口部２１から前記係止部が突出し、他端の開口部２２から前記把持部が突出した状態とされて使用することが好ましい。このような毛髪挿入具としては、例えば、前述した特開平２００３−９３１３３号公報、あるいは米国特許出願公開第２００４−２１６７５９号の明細書等に記載のものが挙げられる。
【００２８】
次に、前述した毛髪保持具１と毛髪挿入具とを用いた染毛処理の一実施態様について、以下に説明する。染毛する際に用いる毛髪保持具１における筒状体２の長さは、毛髪束Ｈの長さよりも長いものを用いることが、毛髪束Ｈ全体を染毛する上で好ましい。
【００２９】
先ず、毛髪挿入具の係止部が一端の開口部２１から延出し、把持部が他端の開口部２２から延出しており、毛髪挿入具が筒状体２内に挿入された状態の毛髪保持具１を用意する。
【００３０】
次に、毛髪挿入具の係止部に毛髪束Ｈを係止し、その状態で、把持部を引っ張り、毛髪束Ｈを筒状体２の内部に挿入する。毛髪束Ｈは、筒状体２の内部で、図３（ａ）に示すように、概ね直線状に伸ばされた状態となる。
【００３１】
次に、図３（ｂ）に示すように、内部に染毛剤が納められたボトル４を用いて、筒状体２の他端の開口部２２から液状の染毛剤を筒状体２の内部に注入する。
この注入の際には、ボトル４の注入部４３を、その先端が第２の目印２６の位置に達するまで挿入し、その状態で染毛剤４１を注入する。染毛剤４１の注入は、染毛剤４１の端が、図３（ｂ）に示すように第１の目印２５に達するまで行い、第１の目印２５に達した時点で注入を停止する。
【００３２】
そして、ボトル４を筒状体２から引き抜いた後、図３（ｃ）に示すように、毛髪保持具１の他端の開口部２２と第２の目印２６との間を両手で摘み、一方の手はその部分を摘んだまま、図３（ｄ）に示すように、他端の開口部２２側から一端の開口部２１側へ向けて、筒状体２の両面を他方の手の指でしごき、染毛剤４１を毛髪束Ｈに塗り広げる。
【００３３】
他方の指は、毛髪保持具１のしごく範囲の終点を示す段差部２７に当接することで、それ以上しごくことが防止される。
筒状体２がしごかれることにより、筒状体２の内部の染毛剤は、他端の開口部２２側から一端の開口部２１側へ向けて、毛髪を浸しながら移動し、段差部２７を示す部位までしごかれて移動した染毛剤の残りの部分により、段差部２７よりも開口部２１側の毛髪束Ｈの部分が染毛される。
【００３４】
本実施形態の毛髪保持具１によれば、染毛剤４１を、第２の目印２６から第１の目印２５に達するまで注入するという簡単な操作により、予め設定された一定の量の染毛剤４１を筒状体２に注入することができる。従って、その注入量を、筒状体２内に挿入した毛髪束Ｈに対してムラのない毛髪処理を行うことができ、且つ必要以上の毛髪処理剤をできるだけ注入することにならない量に設定しておくことで、毛髪処理剤の漏れや不足を生じることなく、効率的に毛髪処理を行うことができる。
尚、本実施形態の毛髪保持具１のようにしごく範囲の終点を示す段差部２７等を設ける場合、該段差部２７等より開口部２１側にも染毛剤が移動するが、該開口部２１からは漏れ出さない注入量となるように、第２の目印２６と第１の目印２５の位置を決定することが好ましい。
【００３５】
所望により、複数の毛髪保持具１を用いて同様の操作を繰り返し、所定時間放置する。その後、毛髪束Ｈを、毛髪保持具１から取り出し、すすぎ洗いをし、更にシャンプー及びブローをすることが好ましい。
【００３６】
以上、本発明の一実施形態の毛髪保持具について説明したが、本発明は、前述した実施形態に制限されることなく適宜変更が可能である。
例えば、筒状体２に注入する毛髪処理剤の量を一定の量に調整可能な目印として、図４（ａ）に示すように、筒状体２を構成するシート２３に２本の線２５’，２６’を印刷等により表示しても良い。この場合、２本の線２５’，２６’は、視認し得る限り、筒状体２の外面側に印刷しても内面側に印刷しても良く、また、シート２３の表面から突出していても突出していなくても良い。また、シート２３の幅方向に連続する凸条部状の目印２５、２６や線状の目印２５’、２６’に代えて、シート２３の幅方向に不連続の凸部やドット等を列状に設け、それらを本発明における目印として用いても良い。また、目印として凸条部を形成する場合の凸条部の形成方法も、各種材料のシート２３に対する接着や、凸条部とシート２３との一体成形等、任意の方法を採用し得る。
【００３７】
また、図４（ｂ）に示すように、筒状体２を構成するシート２３に、他の部分２３ａとは色の異なる２つの領域２３ｂ、２３ｃを設け、隣接する領域間に生じる境界線２５”，２６”を、筒状体２に注入する毛髪処理剤の量を一定の量に調整可能な目印としても良い。更に、筒状体２における他の部分２３ａとは色の異なる２つの領域２３ｂ、２３ｃを設けるのに代えて、他の部分２３ａとは色の異なる１つの領域２３ｃのみを設け、該領域２３ｃと該領域２３ｃを挟む両側部分の間に生じる境界線を、筒状体２に注入する毛髪処理剤の量を一定の量に調整可能な目印としても良い。２つの領域２３ｂ、２３ｃは、例えば、有色透明のシートからなる領域とすることができる。
このように、２本の線２５’，２６’や２本の境界線２５”，２６”等を目印として設ける場合においても、２本の線ないし境界線それぞれの位置や２本の間隔は、上述した実施形態における凸条部状の目印２５，２６と同様とすることができる。
【００３８】
また、筒状体２に、３本以上の凸条部や線、境界線等を設け、使用する毛髪処理剤の種類に応じて、２本の凸条部等を選択して目印として用いることもできる。
尚、前述した一の実施形態における説明省略部分及び一の実施形態のみが有する要件は、それぞれ他の実施形態に適宜適用することができ、また、各実施形態における要件は、適宜、実施形態間で相互に置換可能である。
【図面の簡単な説明】
【００３９】
【図１】図１は、本発明における毛髪保持具の一実施形態を示す斜視図である。
【図２】図２は、図１のＩＩ−ＩＩ線断面図である。
【図３】図３は、図１の毛髪保持具を用いて染毛処理を行う様子を示す模式図であり、図３（ａ）は毛髪保持具に毛髪束を挿入した状態を示し、図３（ｂ）は毛髪保持具に染毛剤を注入する様子を示し、図３（ｃ）は毛髪保持具をしごく前の状態であり、図３（ｄ）は毛髪保持具をしごいて染毛剤を塗り拡げている様子を示している。
【図４】図４は、本発明における他の実施形態の要部を示す平面図である。
【符号の説明】
【００４０】
１        毛髪保持具
２        筒状体
２１、２２  開口部
２３        シート
２４        側縁部
２５，２５’，２５”  第１の目印（目印）
２６，２６’，２６”  第２の目印（目印）
２７    段差部
４        容器
４１  染毛剤（毛髪処理剤）
４２  収容部
４３  注入部
Ｈ        毛髪束
【図１】
2008136632.tif 000003
【図２】
2008136632.tif 000004
【図３】
2008136632.tif 000005
【図４】
2008136632.tif 000006